(57)【要約】シューズ、特にスポーツ用のシューズは、１つまたは複数のスパイク（５）を収容するためのソール（１）を有している。この収容は、ソールに配置された成形体（２）を介して行われ、該成形体（２）は、ソール平面（Ｓ）に対して１５°から２５°の間の、有利には１８°の所定の角度（α）を成して配置されていて、スパイク（５）に配置された安全装置（４）を収容するための開口（３）を有している。スパイク（５）は、さらに、成形体（２）の横断面に対する相補形状を備えて形成された切欠を有している。成形体（２）とスパイク（５）との間の連結は、成形体（２）へのスパイク（５）の装着と安全装置（４）の操作とによって行われる。これにより、スパイク（５）は強制的に、ロック位置に導入されるかまたはロック解除位置に導出される。
2004512887.tif 000002
【特許請求の範囲】
【請求項１】
シューズ、特にスポーツ用のシューズであって、ソールが設けられており、ソールが、少なくとも１つのスパイクを有しており、該スパイクが、形状接続的な結合部と安全装置とを介して、ソールに着脱可能に結合されている形式のものにおいて、
ソール（１）が成形体（２）を有しており、該成形体（２）が、ソール平面（Ｓ）に対して所定の角度（α）を成して配置されていて、安全装置（４）を収容するための開口（３）を有しており、これにより、スパイク（５）が、安全装置（４）の操作に際して、強制的にロック位置に導入されるかまたはロック解除位置に導出されることを特徴とする、特にスポーツ用のシューズ。
【請求項２】
角度（α）が１５°〜２５°、有利には１８°である、請求項１記載の、特にスポーツ用のシューズ。
【請求項３】
成形体（２）が、ソール（１）の一体の構成部分である、請求項１または２記載の、特にスポーツ用のシューズ。
【請求項４】
成形体（２）が、ソール（１）内に射出成形されたかまたは接着された別個の部材から成っている、請求項１または２記載の、特にスポーツ用のシューズ。
【請求項５】
成形体（２）が、Ｔ字形の横断面を有している、請求項１から４までのいずれか１項記載の、特にスポーツ用のシューズ。
【請求項６】
成形体（２，１２）が、円形の横断面を有している、請求項１から４までのいずれか１項記載の、特にスポーツ用のシューズ。
【請求項７】
スパイク（５）が、成形体（２）の横断面に対する相補形状を有する切欠（６）を備えている、請求項１から６までのいずれか１項記載の、特にスポーツ用のシューズ。
【請求項８】
安全装置（４）を収容するための開口（３）が、成形体（２）と同じ角度（α）を成して配置されている、請求項１または２記載の、特にスポーツ用のシューズ。
【請求項９】
開口（３）が、円形の横断面を有している、請求項８記載の、特にスポーツ用のシューズ。
【請求項１０】
安全装置（４）がねじ固定部分から成っており、該ねじ固定部分が、スパイク（５）に固定されたねじ山付きねじ（７）と、成形体（２）に配置された対応ねじ山（８）とから構成されている、請求項１または８または９記載の、特にスポーツ用のシューズ。
【請求項１１】
ねじ山付きねじ（７）がカウンタナット（９）に支承されており、該カウンタナット（９）がスパイク（５）に結合されている、請求項１０記載の、特にスポーツ用のシューズ。
【請求項１２】
ねじ山付きねじ（７）とカウンタナット（９）とが、切欠（６）を制限もしくは画成しているスパイク壁（１０）に支持されている、請求項７または１０または１１のいずれか１項記載の、特にスポーツ用のシューズ。
【請求項１３】
対応ねじ山（８）がナット（１１）から成っており、該ナット（１１）が、成形体（２）の開口（３）内に配置されている、請求項１０記載の、特にスポーツ用のシューズ。
【請求項１４】
成形体（２）の開口（３）内の対応ねじ山（８）が、円形の横断面を備えている、請求項１０または１１または１２記載の、特にスポーツ用のシューズ。
【発明の詳細な説明】
【０００１】
本発明は、請求項１の上位概念部に記載した形式の、特にスポーツ用のシューズに関する。
【０００２】
そのようなシューズは、例えばヨーロッパ特許第０８１５７５９号明細書によって公知である。このシューズはソールと、ソールに着脱可能に取り付けられたスパイクとを有しており、この場合、スパイクは、形状接続的（ｆｏｒｍｓｃｈｌｕｅｓｓｉｇ）な結合部と安全装置とを介してソールに保持されている。この形状接続的な結合部が、例えば、スパイクに配置された多角形の基座と、ソール内の、相補形状を備えて形成された切欠とから成っているのに対して、安全装置は、スパイクにおけるねじとソール内のねじ山付き開口とから成っている。形状接続的な結合部と安全装置とは、ソール接地面に対して垂直に配置されている。この配置形式によって、スパイク交換時の取扱いに、不利な影響が与えられる。なぜならば、まず、ねじとねじ開口との間の結合を生ぜしめ、次いで、相補形状を備えて形成された切欠を備えた六角部を、所望の位置に持ってこなければならないからである。すなわち、ユーザーは、片方の手でスパイクを定位置に保持せざるを得ないのに対して、もう片方の手でねじを最終的なロック位置に至るまで回さなければならない。別の欠点は、ねじ頭が下に向かって接地面に対して突出していて、このことによって著しく消耗されかつ汚損されることである。したがって、シューズ使用中のスパイクの迅速な交換は、厳しい条件の下でしか可能ではない。
【０００３】
別の実施例が、ドイツ連邦共和国特許１９８５０４４９第号明細書によって公知である。この場合、有利には縦長のスパイクを、まず、ソールの切欠内に導入し、次いでスパイクを、ねじ固定部とロックフックとを介して、切欠に後方から係合する位置に摺動させかつロックする。この解決手段の場合、ねじはソール平面に対してほぼ平行に配置されているので、使用中のねじの消耗または汚損はほぼ回避される。しかしながらこの場合においても、スパイク交換に際しての取扱いは簡単ではない。なぜならば、まず、スパイクを切欠内に導入しなければならず、このことは汚損時には極めて実行し難く、次いで、ねじとロックフックとを介してスパイクを、切欠に後方から係合する位置に持ってこなければならないからである。特に縦長に形成されたスパイクは、使用時には、著しく高い負荷を受けるので、後方から係合するロックポジションは、常に確実な結合を作り出すとは限らない。別の欠点は、この解決手段が、消耗される複数の個別部材を有しており、このことが構成のコストを上昇させるだけでなく、使用時により脆弱な構成にもしてしまうということである。
【０００４】
したがって、本発明の課題は、スパイク交換が容易にかつ片方の手で行われ得るだけでなく確実な保持を可能にもするような、特にスポーツ用のシューズを提供することである。さらに、この構成が、わずかな部材しか使用しないことによって際立っていて、コンパクトでかつ丈夫であるようにしたい。
【０００５】
本発明によればこの課題は、請求項１の特徴部に記載した特徴によって解決される。
【０００６】
本発明の有利な実施態様は、従属請求項に記載してある。
【０００７】
本発明にとって本質的であるのは、ソールに成形体を１５°〜２５°の所定の角度を成して配置することによってスパイクの簡単な装着が可能であり、同じ角度で配置されていてねじとして形成されている安全装置を介して、ねじが回される際にロック位置へのスパイクの自動的な導入が行われることである。反対に、ロック解除時には、両手を使う必要なしに、ロック解除位置への自動的な導出が達成される。ねじとして形成された安全装置は、消耗と損傷とから守られた状態にあり、ソールの汚損にもかかわらずスパイクの装着は、たいした苦労もなく可能である。
【０００８】
この場合、成形体がソールと一緒に一体の構成部分として射出成形され得るかまたは別個の部材としてソール内に射出成形されるかまたは接着されると、特に有利である。成形体がＴ字形または円形の横断面を有していると、スパイクと成形体との間の適当な、有利には形状接続的な結合が得られることがわかった。
【０００９】
別の利点および実施態様は、従属請求項に記載してある。
【００１０】
次に本発明を、複数の実施例に基づき図面との関連において詳細に説明する。
【００１１】
図１に示した図には、シューズ、特に例えば陸上競技のようなスポーツ用のシューズのソール１が成形体２を有しており、この成形体２が、ソールの一体の構成部分であってよいかまたは、図示のように、別個の部材としてソール１内に射出成形されているかまたは接着されていることが示されている。もちろん、ソールと成形体との間における別の結合手段も可能である。実施例では常に１つの成形体しか示されていないが、ソールが、スパイクを収容するために設けられていて、かつ任意の箇所に配置されている複数の成形体を有していてよいかもしくは有するであろうことは、明らかであろう。
【００１２】
しかしながら、成形体２がソール平面Ｓに対して１５°〜２５°の所定の角度αを成して配置されていることが、本発明にとって本質的である。所定の角度αが１８°の場合に、最も楽な取扱いが得られることが、実験によってわかった。しかもこの場合、成形体２がソール平面Ｓを越えて突出しているか突出していないかといったことは、本質的ではない。しかしながら、図示した実施例は、ソールを比較的に薄く、したがって重量を節約して製作することができ、かつ成形体２とスパイク５との間の結合を極めて簡単に行うことができるという利点を有している。
【００１３】
成形体２の役割は、本発明によれば、同じく図１に示したスパイク５を収容し、かつロックされた状態で保持することであり、このために安全装置４が設けられている。
【００１４】
図１における有利な実施例によれば、成形体２はＴ字形の横断面を有しており、この横断面は、安全装置４を収容するための開口３と、この開口３内に配置されたナット１１とを備えている。この場合、開口３は、成形体２と同じ角度αを成して配置されている。スパイク５を成形体２に形状接続的に係合させることができるようにするために、スパイク５は、特に図３に示した断面図に示されているように、成形体２の横断面に対する相補形状を有する切欠６を備えている。さらに、スパイク５にはねじ山付きねじ７が、カウンタナット９を介して固定されている。
【００１５】
成形体２とスパイク５との結合は、スパイク５が押込み方向Ｆで成形体２に装着されることによって、極めて簡単な方式で行われる。ねじ山付きねじ７が回されることによって、スパイク５は強制的に、図２に示したロック位置に持ってこられる。成形体２とスパイク５との間の形状接続的な結合部と、安全装置４とのこの特別な構成によって、スパイク５はソール１に圧着される。これにより、より確実でかつコンパクトなロック状態が達成される。
【００１６】
ロック状態からロック解除状態へのスパイク５のロック解除もしくは除去は、逆の方式で、ねじ山付きねじ７が回されることによりスパイク５が強制的に押込み方向Ｆとは逆に導出されることによって行われる。ねじ山付きねじ７とナット１１との間のねじ山結合が解消されるとすぐに、スパイク５は成形体２から取り外される。
【００１７】
図２にはロック位置が示されており、スパイク５が形状接続部とねじ固定部とを介して、成形体２とソール１とに完全に引き寄せられ、かつソール１に堅固にかつ確実に結合されていることがわかる。この場合、ねじ山付きねじが予想に反してひとりでにゆるんでしまった場合でも、形状接続部を介して、スパイクとソールとの結合が依然として維持されることも、極めて有利である。この場合、もちろん、図示したナット１１が開口３の始端領域のより近くに配置されていてもよいか、またはナットの代わりに別の公知の対応ねじ山が使用されてもよかろう。
【００１８】
図２および図３に示した図では、形状接続によって比較的に高い面圧が生ぜしめられ、この結果として、定置の保持と良好な力伝達とが得られることもわかる。しかしながら、ねじ固定部として形成された安全装置４によって、高い面圧にもかかわらずスパイク５の導入および導出が強制的に、したがって容易に行われることが保証される。このことは、特にスポーツ用、例えば陸上競技用に使用する場合、極めて重要である。なぜならば、この場合は頻繁に汚損が予想されるからである。
【００１９】
図４および図５には、本発明の別の実施例が示されている。この実施例は、実質的にその簡単な構成によって際立っていて、このことによって安価に製作することもできよう。この場合、成形体２は、円形の横断面を有していて、丸棒材または管１２から成っている。この丸棒材または管１２は、市販の製品から製作することもできよう。この円形の成形体２は、例えば接着剤のような適当な結合手段によってソール１に結合されていて、同じく本発明によれば、ソール平面Ｓに対して１５°〜２５°の所定の角度αを成して突出している。この解決手段の場合、スパイク５の導入が特に確実である。なぜならば、本発明によれば、相互に補い合う相補形状を有する円形の部分同士の形状接続が、非円形の部分同士の場合よりもはるかに簡単に行われるからである。したがって、この実施例のためのスパイク（詳しくは図示せず）は同じく、相補形状を有する円形の横断面を備えた切欠６と、安全装置４とを有している。ねじ山付きねじ７として形成された安全装置４の場合、スパイク５の導入は、シンプルな方式で行うことができよう。なぜならば、スパイク５が円形の成形体２に装着されるとすぐに、ねじ山付きねじ７が回されることによってスパイク５が強制的に、ロック位置に至るまで丸棒材１２に被せられるからである。もっともこのための前提条件は、丸棒材が開口３を有していて、この開口３が、ねじ山付きねじ７に対する対応ねじ山８として形成されていることである。この場合、例えば図２に示したナット１１のような付加的な構成部材を省略することができる。
【００２０】
最後に、さらに、安全装置４と成形体２とが、本発明の枠を越えることなく、図示したような形状とは別の形状を有していてもよいことを指摘しておく。
【図面の簡単な説明】
【図１】
ロック解除状態における、本発明による成形体と縦方向で断面して示したスパイクとを備えたソールの部分断面図である。
【図２】
図１に示した図の、ロック状態を示す図である。
【図３】
図２におけるＩＩＩ−ＩＩＩ線による断面図である。
【図４】
別の実施例の縦断面図である。
【図５】
図４におけるＶ−Ｖ線による断面図である。
【国際公開パンフレット】
2004512887.tif 000003
2004512887.tif 000004
2004512887.tif 000005
2004512887.tif 000006
2004512887.tif 000007
2004512887.tif 000008
2004512887.tif 000009
2004512887.tif 000010
2004512887.tif 000011
2004512887.tif 000012
2004512887.tif 000013
2004512887.tif 000014
2004512887.tif 000015
【国際調査報告】
2004512887.tif 000016
2004512887.tif 000017
2004512887.tif 000018
2004512887.tif 000019